(57)【特許請求の範囲】
【請求項１】
エアゾール缶の上端周縁部に係合固定される環状体と、該環状体の内側空間に配置され且つヒンジ片を介して該環状体の上端部にヒンジ連結されている噴射カバーとから成るエアゾール缶用キャップにおいて、
前記環状体は、エアゾール缶の上端周縁部の外周面若しくは内周面と係合する周状側壁部を備えており、該周状側壁部の下方部には、少なくとも前記ヒンジ片に対応する部分を除き、エアゾール缶の上端周縁部との係合用周状ビードが形成されていることを特徴とするエアゾール缶用キャップ。
【請求項２】
前記周状ビードは、前記ヒンジ片に対応する部分で少なくともヒンジ片の周方向幅と略同等の幅を有する部分には形成されていない請求項１に記載のエアゾール缶用キャップ。
【請求項３】
エアゾール缶の上端周縁部に係合固定される環状体と、該環状体の内側空間に配置され且つヒンジ片を介して該環状体の上端部にヒンジ連結されている噴射カバーとから成るエアゾール缶用キャップにおいて、
前記環状体は、エアゾール缶の上端周縁部の外周面若しくは内周面と係合するための周状ビードを下端部に備えた周状側壁部を備えていると共に、該周状側壁部には、その下端部から上方に延びているスリット若しくは薄肉部が形成されており、該スリット若しくは薄肉部は、少なくとも前記ヒンジ片に対応する部分に存在していることを特徴とするエアゾール缶用キャップ。
【請求項４】
前記スリット若しくは薄肉部は、前記ヒンジ片の中心部に対応する部分に存在している請求項３に記載のエアゾール缶用キャップ。
【請求項５】
前記ヒンジ片に対応する部分の周状側壁下端部には、前記周状ビードが形成されていない請求項３又は４に記載のエアゾール缶用キャップ。
【請求項６】
前記周状ビードは、前記ヒンジ片に対応する部分で少なくともヒンジ片の周方向幅と略同等の幅を有する部分には形成されていない請求項５に記載のエアゾール缶用キャップ。
【発明の詳細な説明】
【０００１】
【発明の属する技術分野】
本発明は、エアゾール缶用キャップに関するものであり、より詳細には、格別の工具等を使用せずに、容易にエアゾール缶から取り外すことが可能な分別廃棄性に優れたエアゾール缶用キャップに関する。
【０００２】
【従来の技術】
従来、化粧品、洗浄剤、殺虫剤、その他の各種薬剤等の用途にエアゾール缶が広く使用されている。このエアゾール缶は、一般に、上端に開口部を有する缶本体と、この開口部を塞ぐ様に缶本体の上端周縁部に巻き締め固定されている天蓋とから形成されており、缶本体内に収容されている内容物を吐出させるための噴射チューブが天蓋を貫通して延びているか又は天蓋に取り付けられている。この噴射チューブは上下に揺動可能となっており、これを押し込むと内容物が吐出されるようになっている。
このようなエアゾール缶には、天蓋を覆う様なキャップが装着され、この状態で市販され、使用に供されている。
【０００３】
この種のエアゾール缶用キャップの代表的なものは、エアゾール缶の上端周縁部に係合固定される環状体と、該環状体の内側空間に配置され且つヒンジ片を介して該環状体の上端部にヒンジ連結されている噴射カバーとから成っている。噴射カバーには、エアゾール缶の噴出管と連通している噴射ノズルが設けられている。即ち、噴射カバーを手で押し込むことにより、噴出管が下方に押し込まれ、噴射ノズルからの内容物の吐出が行われるものである。例えば実公平５−３２４０号公報や実公平５−２２２９４号公報には、前記噴射カバーを備えた環状体がエアゾール缶の上端周縁部（天蓋と缶本体との巻き締め部）の外周面に係合固定するタイプのエアゾール缶用キャップが開示されており、実用新案登録第３０３０４８３号には、環状体がエアゾール缶の上端周縁部の内周面に係合固定するタイプのものが開示されている。
【０００４】
【発明が解決しようとする課題】
ところで、上述したエアゾール缶用キャップはプラスチック製であるのに対して、エアゾール缶は、ほとんどのものがスチール、アルミ或いは各種表面処理鋼板等の金属製であり、プラスチックが使用されていたとしても一部の構成部分のみのものが多く、例えば天蓋等は金属製であるものがほとんどである。
このため、使用済みのエアゾール缶のキャップは、これをエアゾール缶から分離して廃棄することが特に要求されるが、前述した先行技術等に開示されている従来公知のエアゾール缶用キャップは、環状体がエアゾール缶に強固に固定されており、格別の工具を使用しなければ容易に缶から分離することが極めて困難であり、分別廃棄性が極めて不満足なものとなっている。
【０００５】
従って本発明の目的は、格別の工具等を使用せずに、容易に使用済みエアゾール缶から取り外すことが可能な分別廃棄性に優れたエアゾール缶用キャップを提供することにある。
【０００６】
【課題を解決するための手段】
本発明によれば、エアゾール缶の上端周縁部に係合固定される環状体と、該環状体の内側空間に配置され且つヒンジ片を介して該環状体の上端部にヒンジ連結されている噴射カバーとから成るエアゾール缶用キャップにおいて、
前記環状体は、エアゾール缶の上端周縁部の外周面若しくは内周面と係合する周状側壁部を備えており、該周状側壁部の下方部には、少なくとも前記ヒンジ片に対応する部分を除き、エアゾール缶の上端周縁部との係合用周状ビードが形成されていることを特徴とするエアゾール缶用キャップが提供される。
本発明によれば更に、エアゾール缶の上端周縁部に係合固定される環状体と、該環状体の内側空間に配置され且つヒンジ片を介して該環状体の上端部にヒンジ連結されている噴射カバーとから成るエアゾール缶用キャップにおいて、
前記環状体は、エアゾール缶の上端周縁部の外周面若しくは内周面と係合するための周状ビードを下端部に備えた周状側壁部を備えていると共に、該周状側壁部には、その下端部から上方に延びているスリット若しくは薄肉部が形成されており、該スリット若しくは薄肉部は、少なくとも前記ヒンジ片に対応する部分に存在していることを特徴とするエアゾール缶用キャップが提供される。
【０００７】
本発明のキャップは、特に平面図でみて、環状体と噴射カバーとをヒンジ連結する部分に対応する部分において、環状体の周状側壁部下端の係合用周状ビードが分断されていることが重要な特徴である。具体的には、上記ヒンジ連結部、即ちヒンジ片が形成されている部分の下側に位置する周状側壁部下端部分（ヒンジ片に対応する部分）には、係合用周状ビードを形成しないか、或いはヒンジ片に対応する部分には、軸方向（上方に延びている）スリット若しくは薄肉部を形成したものであり、この部分で周状ビードは分断され不連続となっているか或いは柔軟となっている。即ち、ヒンジ片に連結されている噴射カバーを手で引張り上げた時、その応力は周状側壁部のヒンジ片に対応する部分に集中する。しかるに本発明によれば、このヒンジ片に対応する部分で周状ビードが不連続或いは柔軟となっており、環状体（周状側壁部）とエアゾール缶の上端周縁部との係合力が他の部分よりも小さくなっている。従って、噴射ノズルを手で持って噴射カバーをヒンジ片を支点として引張り上げると、容易に環状体の周状側壁部をエアゾール缶から除去することができ、格別の工具を用いることなく、容易にキャップをエアゾール缶から取り外すことが可能となるのである。
【０００８】
【発明の実施の形態】
以下、本発明を添付図面に示す具体例に基づいて詳細に説明する。
図１は、本発明のエアゾール容器用キャップの一例を示す図であって、図１中（Ａ）は天面図、（Ｂ）は側断面図、（Ｃ）は底面図である。また図２は、図１のキャップの斜視図である。
【０００９】
図１及び図２において、本発明のエアゾール缶用キャップは、環状体１と噴射カバー２とから成る。
環状体１は、エアゾール缶の上端周縁部（図示せず）と係合する周状側壁部３を備えており、周状側壁部３の上端には、内向きの水平フランジ部４が形成されている。噴射カバー２は、ヒンジ片５を介して環状体１の水平フランジ部４にヒンジ連結されている。
噴射カバー２の上面には、上方に直立している噴射ノズル６が形成されており、下面の中心部分には、エアゾール缶の噴出管先端と嵌合する中空管７が形成されている。特に図１（Ｂ）に明瞭に示されている様に、噴射ノズル６は、中空管７を介して図示されていない噴出管の先端と連通している。また噴射カバー２の上面の噴射ノズル６は、ヒンジ片５側に若干偏心しており、噴射ノズル６の根元部分には、ヒンジ片５側とは反対側に扇型のボックス状の押圧部８が形成されている。即ち、押圧部８を手で押すと、噴射カバー２はヒンジ片５を支点として下方に押し込まれ、中空管７に連結された噴出管も下方に押し込まれる。この結果として、傾倒した噴射ノズル６からエアゾール缶に収容されている内容物が吐出されることになる。
【００１０】
周状側壁部３の上端に形成されている水平フランジ部４には、扇型の押圧部８の円周状先端部に沿って、細長いバンド部１０が形成されており、このバンド部１０に対面している周状側壁部３の上端部には切欠き部１１が形成されている。即ち、このバンド部１０の側面は、外部に露出しており、手で容易に捲り上げられるようになっており、このバンド１０を手で捲り上げて押圧部８に引っ掛ければ、押圧部８が下方に押圧され、噴射カバー２は下方に押し込まれたままの状態に保持される。従って、この使用済みのエアゾール缶について、バンド部１０を利用して噴射カバー２を下方に押し込んだままの状態に保持しておけば、自動的に噴射剤のガスを抜くことができ、廃棄性の点で好適である。
【００１１】
また周状側壁部３の外面の中間部分には、水平の段差部１２が形成されているが、この段差部１２は、図示していないが、噴射カバー２を更に覆うオーバーキャップ（通常、透明である）を係止するためのものである。即ち、エアゾール缶は、噴射ノズル６からの偶発的な内容物の吐出を防止し、且つ商品価値を高めるために、エアゾール缶には、上述したキャップ及び着脱自在のオーバーキャップが装着されて市販するが、このようなオーバーキャップを装着するために、上記段差部１２は設けられている。
更に図１及び図２の例では、上記段差部１２を除けば、周状側壁部３の外形は直線状に形成されているが（図１（Ｂ）参照）、このような形状に限定されるものではなく、例えばエアゾール缶の外形に合わせて湾曲線状（ドーム状）に形成されていてもよい。
このような構造のキャップは、各種プラスチック、例えば、低−，中−又は高−密度ポリエチレン、線状低密度ポリエチレン、ポリプロピレン、熱可塑性ポリエステル、ポリアミド、スチレン系樹脂、ＡＢＳ樹脂等の一体成形によって容易に製造することができる。
【００１２】
周状側壁部３の下方部内面には、周状ビード２０が設けられており、この周状ビード２０がエアゾール缶の上端周縁部の外周面と係合することにより、環状体１がエアゾール缶にしっかりと固定される。
本発明においては、この周状ビード２０を周状側壁部３の全周にわたって形成せず、特に図１（Ｃ）の底面図に明瞭に示されている様に、ヒンジ片５に対応する部分Ｗには周状ビード２０は形成されておらず、この部分は不連続部２１となっている。
【００１３】
即ち、使用済みのエアゾール缶について、ヒンジ片５を支点として噴射カバー２を捲り上げ、中空管７とエアゾール缶の噴射チューブとの係合を解除した後、更にヒンジ片５を支点として噴射カバー２を上方に引張り上げた時、その応力はヒンジ片５に対応する部分Ｗに集中する。本発明では、この部分Ｗにおいて、周状ビード２０は形成されていないので、周状側壁部３とエアゾール缶の上端周縁部との係合力が弱められている。従って、使用済みのエアゾール缶について、噴射ノズル６を手で持ってヒンジ片５を支点として噴射カバー２を上方に引張り上げれば、上記部分Ｗを起点として周状側壁部３がエアゾール缶の上端周縁部から離脱し、容易にキャップをエアゾール缶から取り外すことができるのである。このキャップの取り外し作業に先立っては、先に述べた様に、バンド部１０を利用して噴射カバー２を下方に押し込んだままの状態に保持してエアゾール缶内に残留している噴射剤を抜いておくことが好ましい。
【００１４】
図示した例において、上述した不連続部２１は、ヒンジ片５に対応する部分Ｗの全体にわたっているが、少なくともヒンジ片５の中心部に対応する部分（図１（Ｃ）において線Ｏで示す）が不連続部２１となっていることが好ましく、必ずしもヒンジ片５に対応する部分Ｗの全体に不連続部２１を形成せずともよい。この中心部分Ｏに周状ビード２０が存在していなければ、即ち、この部分Ｏで周状ビード２０が分断されていれば、ヒンジ片５を支点として噴射カバー２を上方に引張り上げた時に応力が最も集中する部分の係合力が弱められ、噴射カバー２をエアゾール缶から取り外すことができるからである。但し、この不連続部２１の長さは、通常、３mm以上、特に５mm以上とすべきであり、これよりも短いと係合力が十分に弱められず、周状側壁部３の取り外しが困難になることがある。一般的には、不連続部２１の長さを上記のように３mm以上とし且つ図１（Ｃ）に示されている様に、ヒンジ片５に対応する部分Ｗの全体が不連続部２１となっていることが好適である。
尚、ヒンジ片５に対応する部分Ｗは、ヒンジ片５の周方向両端とキャップの中心点を結ぶ線の延長線が周状ビードと交わる点の間の領域である。
【００１５】
またヒンジ片５は、ある程度の幅を有していることが好ましく、この幅が過度に小さいと、ヒンジ片５を支点として噴射カバー２を持ち上げた場合、ヒンジ片５の破断を生じたり、或いは環状体１をエアゾール缶から取り外すことが困難となるおそれがある。一般的に言って、このヒンジ片５の幅は５mm以上とするのがよい。
【００１６】
また、周状ビード２０の分断は、ヒンジ片５に対応する部分Ｗで行われている限り、この部分Ｗ以外の部分でも行われていてよい。この例を図３の底面図に示す。
図３において、周状側壁部３の下方の周状ビード２０は、複数に分割されており、ヒンジ片５に対応する部分Ｗ以外の部分にも不連続部２１’が形成されている。即ち、図３のキャップの様に、複数の周状ビード２０が適当な間隔で配置されている場合には、周状ビード２０の大きさ（突出高さ）に加えて、その数や不連続部２１’間隔等を適宜変更することにより、周状側壁部３とエアゾール缶との係合力を調節することができる。
【００１７】
更に本発明においては、上記以外にも種々の設計変更が可能であり、例えば分別廃棄性に限って言えば、環状体１の水平フランジ部４にバンド部１０を設ける必要はないし、バンド部１０を設けない場合には、当然、周状側壁部３の上端に切欠き部１１を設ける必要はない。また、噴射ノズル６は図示されているような直立した形状のものに限定されず、傾斜していてもよいし、更に途中で屈曲した形状のものであってもよい。更に噴射カバー２の上面（噴射ノズル６等を除くフラットな部分）を周状側壁部３の上端よりも突出して形成しておけば、ボックス状の押圧部８を敢えて設ける必要はない。
【００１８】
また図１乃至３のキャップは、周状側壁部３がエアゾール缶の上端周縁部の外周面と係合するタイプのものであるが、本発明をエアゾール缶の上端周縁部の内周面と係合するタイプのものにも適用することができる。このタイプのキャップを図４に示す。図４中、（Ａ）はキャップの天面図、（Ｂ）は側断面図、（Ｃ）は底面図である。
【００１９】
図４の例のキャップは、極めてシンプルな構造を採用しており、環状体１の水平フランジ部４にはバンド部１０を設けておらず、従って切欠き部１１に相当する部分も形成されていないし、ボックス状の押圧部８の形状も扇型でなく単に円形とした例で示した。
図４において、このキャップの環状体１は、内側周状側壁部３０と外側周状側壁部３１とを備えている。即ち、これら側壁部３０，３１の間にエアゾール缶の上端周縁部が挿入され、内側周状側壁部３０と該周縁部との係合により、環状体１がエアゾール缶に固定される。従って、外側周状側壁部３１は、特に環状体１の固定には関与しないが、エアゾール缶の上端周縁部を覆い、その商品価値を損なわないようにするために必要なものである。尚、内側周状側壁部３０と外側周状側壁部３１との間の空間の上部には、適当な間隔でリブ３２が設けられており、エアゾール缶の上端周縁部の挿入により、外側周状側壁部３１が外側に広がって外観が損なわれないようになっている。
【００２０】
内側周状側壁部３０の下端部外面には、外方に突出している周状ビード２０が設けられており、この周状ビード２０とエアゾール缶の上端周縁部の内周面とが係合し、これにより、環状体１がエアゾール缶に固定される。本発明において、この例のキャップでも、周状ビード２０を内側周状側壁部３０の全周にわたって形成せず、図４（Ｃ）に示されている様に、ヒンジ片５に対応する部分Ｗには周状ビード２０は形成されておらず、この部分は不連続部２１となっている。従って、ヒンジ片５に対応する部分Ｗにおいて、内側周状側壁部３０とエアゾール缶の上端周縁部との係合力が弱められ、ヒンジ片５を支点として噴射ノズル６を持って噴射カバー２を引張り上げることにより、容易に環状体１をエアゾール缶から取り外すことが可能となる。勿論、この例においても、ヒンジ片５に対応する部分Ｗ以外の部分に周状ビード２０の不連続部を形成することができる。
【００２１】
上述した図１乃至４の例は、エアゾール缶の上端周縁部と係合する周状側壁部において、ヒンジ片５に対応する部分に係合用の周状ビード２０の不連続部２１を形成することにより、該部分での係合力を弱めたものであるが、このような周状側壁部にスリットを設けることにより、同様にして係合力を弱め、環状体１のエアゾール缶からの取り外しを容易に行うことができる。この例を図５乃至８に示す。
【００２２】
図５は、図１のキャップと同様、エアゾール缶の上端周縁部の外周面との係合により固定されるキャップを示すものであり、図５中、（Ａ）はキャップの側断面図、（Ｂ）は底面図である。
図５のキャップは、噴射カバー２の構造は図１のキャップと全く同じ構造を有しており、環状体１の周状側壁部３の下端の内面には、その全周にわたって周状ビード２０が設けられており、この周状ビード２０とエアゾール缶の上端周縁部外面との係合により、環状体１はエアゾール缶に固定されるというものであり、この点でも基本的には図１のキャップと同様である。ただ、図５のキャップにおいては、ヒンジ片５の中心部に対応する周状側壁部３の下端部分Ｏには、上方に延びている軸方向スリット４０が形成されている。即ち、スリット４０の形成により、周状ビード２０は不連続となっており、従って図１のキャップと同様、ヒンジ片５を支点として噴射ノズル６を持って噴射カバー２を上方に引張り上げた時に応力が最も集中する部分Ｏでの係合力が弱められ、噴射カバー２を容易にエアゾール缶から取り外すことができる。
【００２３】
上記のスリット４０の長さ及び幅は、基本的には周状ビード２０が完全に分断される程度であればよいが、通常、エアゾール缶の上端周縁部の外面が周状側壁部３の内面と密接する部分にわたって延びている程度の長さとするのがよい。
また図５のキャップでは、周状側壁部３の下端部分Ｏにスリット４０を設けたことから、この周状側壁部３の下方部分を完全に覆うような外周壁４１が設けられている。即ち、スリット４０が外から見えることによる商品価値の低下を防止し、またスリット４０からの環状体１の破損を防止するために、外周壁４１が設けられる。
【００２４】
また図５のキャップにおける環状体１のエアゾール缶からの取り外し性、即ち分別廃棄性をさらに向上させたキャップを図６に示す。図６中、（Ａ）はキャップの側断面図であり、（Ｂ）は底面図である。
図６のキャップは、周状ビード２０に関する構造を除けば、図５のキャップと全く同じである。即ち、図６においては、周状側壁部３の下端部分Ｏ（ヒンジ片５の中心部に対応する部分）にスリット４０が設けられていると同時に、ヒンジ片５に対応する部分Ｗの全体にわたって周状ビード２０が形成されておらず、この部分Ｗに周状ビード２０の不連続部分２１が形成されている。従って、ヒンジ片５を支点として噴射ノズル６を持って噴射カバー２を上方に引張り上げた時に応力が集中する部分の係合力が一層弱められており、この結果として、環状体１のエアゾール缶からの取り外しを一層有効に行うことが可能となる。
【００２５】
更に図７及び図８には、上記図５及び６に示した様なスリットを、エアゾール缶の上端周縁部の内周面との係合により固定されるキャップを示すものであり、図７及び図８中、（Ａ）は側断面図、（Ｂ）は底面図をそれぞれ示す。
【００２６】
図７及び図８のキャップは、図４のキャップと同様、環状体１の水平フランジ部４にはバンド部１０は形成されておらず、また切欠き部１１に相当する部分もなく、押圧部８の形状も単に円形であり、従って、これらの天面図は、図４と全く同様であるので省略した。
図７及び８において、このキャップの環状体１は、やはり図４のキャップと同様、内側周状側壁部３０と外側周状側壁部３１とを備えており、これらの間にエアゾール缶の上端周縁部が挿入され、内側周状側壁部３０と該周縁部との係合により、環状体１がエアゾール缶に固定される。即ち、内側周状側壁部３０の下端部外面には、外方に突出している周状ビード２０が設けられており、この周状ビード２０とエアゾール缶の上端周縁部の内周面とが係合し、これにより、環状体１がエアゾール缶に固定される。また、内側周状側壁部３０と外側周状側壁部３１との間の空間の上部には、適当な間隔でリブ３２が設けられている点も図４のキャップと同様である。
【００２７】
ところで、図７のキャップでは、図５のキャップの様に、ヒンジ片５の中心部に対応する周状側壁部３０の下端部分Ｏに、上方に延びているスリット４０が形成されており、これにより、周状ビード２０が分断され、該部分Ｏでの係合力が弱められ、噴射ノズル６を持って噴射カバー２を容易にエアゾール缶から取り外すことができる。
また図８のキャップでは、上記の様にスリット４０を設けると共に、図６のキャップと同様、ヒンジ片５に対応する部分Ｗには周状ビード２０を形成していない。従って、ヒンジ片５を捲り上げる時に応力が集中する部分でも係合力が一層弱められ、一層容易に環状体１をエアゾール缶から取り外すことが可能となる。
【００２８】
上述した図５乃至図８のキャップにおいては、スリット４０は、ヒンジ片５の中心部に対応する周状側壁部３０の下端部分Ｏ（中心部分Ｏ）に設けられているが、ヒンジ片５に対応する部分Ｗ内であれば、必ずしも中心部分Ｏに位置していなくてもよい。但し、中心部分Ｏにスリット４０が位置しているときが最も効果的である。また、スリット４０はヒンジ片５に対応する部分Ｗ内に設けられている限り、その数は限定されず、例えば部分Ｗの領域外にも１個或いは複数個のスリットを設けることができ、その数により、環状体１とエアゾール缶との係合力を適当な範囲に調整することができる。
【００２９】
また本発明では、図５乃至図８のキャップのスリット４０を薄肉部で置き換えることもできる。例えば図７のキャップのスリット４０を薄肉部で置き換えたキャップを図９に示す。図９中、（Ａ）及び（Ｂ）は、それぞれヒンジ片５に対応する部分の部分拡大側面図及び部分拡大底面図である。
図９に示す様に、この例のキャップでは、ヒンジ片５の中心部に対応する部分Ｏにおいて、内側の周状側壁部３０の下端部にスリット４０の代わりに切り込みが設けられて薄肉部５０が形成されている。従って、この部分の周状ビード２０は柔軟性が高く変形し易くなっており、スリット４０を設けた場合と同様、この部分での周状ビード２０とエアゾール缶上端周縁部との係合力は弱くなっており、噴射ノズル６を持って噴射カバー２を容易にエアゾール缶から取り外すことができる。図９では、図７のスリット４０を薄肉部５０に置き換えた例を示したが、このような薄肉部は、その他のキャップ、例えば図５，６及び８に示したキャップにも適用できることは言うまでもない。
【発明の効果】
本発明によれば、エアゾール缶の上端周状縁と係合する環状体の周状側壁部下端の周状ビードを、ヒンジ片を支点として噴射ノズルを持って噴射カバーを引張り上げる際に最も応力が集中する部分で分断しておくことにより、格別の工具を用いることなく、エアゾール缶からキャップを容易に取り外すことが可能となった。従って、本発明のキャップは、分別廃棄の点で極めて優れている。
【図面の簡単な説明】
【図１】エアゾール缶の上端周縁部の外周面と係合するタイプの本発明例のキャップを示す図であり、図１中（Ａ）は天面図、（Ｂ）は側断面図、（Ｃ）は底面図である。
【図２】図２は、図１のキャップの斜視図である。
【図３】図１のキャップにおける周状ビードを複数の箇所で分断した態様のキャップの底面図である。
【図４】エアゾール缶の上端周縁部の内周面と係合するタイプの本発明例のキャップを示す図であり、図４中、（Ａ）はキャップの天面図、（Ｂ）は側断面図、（Ｃ）は底面図である。
【図５】エアゾール缶の上端周縁部の外周面と係合するタイプの本発明例の他の態様のキャップを示す図であり、図４中（Ａ）は側断面図、（Ｂ）は底面図である。
【図６】図５のキャップの改良例であり、図６中、（Ａ）は側断面図、（Ｂ）は底面図である。
【図７】エアゾール缶の上端周縁部の内周面と係合するタイプの本発明例の他の態様のキャップを示す図であり、図４中、（Ａ）は側断面図、（Ｂ）は底面図である。
【図８】図７のキャップの改良例であり、図７中、（Ａ）は側断面図、（Ｂ）は底面図である。
【図９】図７のキャップのスリットを薄肉部に置き換えた例であり、（Ａ）は部分拡大側断面図、（Ｂ）は部分拡大底面図である。
【符号の説明】
１：環状体
２：噴射カバー
３：周状側壁部
５：ヒンジ片
６：噴射ノズル
７：中空管
２０：周状ビード
２１：不連続部
３０：内側周状側壁部
３１：外側周状側壁部
３２：リブ
４０：スリット
【図１】
0003876040.tif 000002
【図２】
0003876040.tif 000003
【図３】
0003876040.tif 000004
【図４】
0003876040.tif 000005
【図５】
0003876040.tif 000006
【図６】
0003876040.tif 000007
【図７】
0003876040.tif 000008
【図８】
0003876040.tif 000009
【図９】
0003876040.tif 000010